(57)【要約】【課題】消防用ホースのカップリングが地面にあたって破損してしまう問題点を解決する消防用ホースとクイックカップリングとの間の接続装置を提供する。【解決手段】消防用ホースとクイックカップリングとの間の接続装置は、カップリング１０ｂ、消防用ホース２０ｂ及びリング３０ｂを備える。カップリング１０ｂは、円管状を呈するとともに、両端に帯座１１ｂ及び受け金具１２ｂをそれぞれ有する。帯座１１ｂ及び受け金具１２ｂの内部には管道１３ｂが形成されて互いに連通する。帯座１１ｂは、管道１３ｂの軸方向で延びた接続長さｈ１を有する。消防用ホース２０ｂは、円管状の軟質帯体であり、帯座１１ｂの外壁に嵌合される接続端２１ｂを有する。リング３０ｂは、消防用ホース２０ｂの接続端２１ｂの外壁を嵌持する、円管状の硬質リング体である。【選択図】図３
0003190937.tif 000002
【実用新案登録請求の範囲】
【請求項１】
カップリング、消防用ホース及びリングを備えた消防用ホースとクイックカップリングとの間の接続装置であって、
前記カップリングは、円管状を呈するとともに、両端に帯座及び受け金具をそれぞれ有し、前記帯座及び前記受け金具の内部には管道が形成されて互いに連通し、前記帯座は、前記管道の軸方向で延びた接続長さを有し、
前記消防用ホースは、円管状の軟質帯体であり、前記帯座の外壁に嵌合される接続端を有し、
前記リングは、前記消防用ホースの前記接続端の外壁を嵌持する、円管状の硬質リング体であり、前記リングは、前記管道の軸方向に延びる抱かれ長さを有し、前記抱かれ長さは、前記帯座の接続長さより長いことを特徴とする消防用ホースとクイックカップリングとの間の接続装置。
【請求項２】
前記カップリングは、雄コネクタであり、
前記受け金具の外壁には、突出したリング部が形成され、
前記カップリングの外壁には、前記リング部に接触可能な可動リングが摺設されていることを特徴とする請求項１に記載の消防用ホースとクイックカップリングとの間の接続装置。
【請求項３】
前記カップリングの外壁には、ストッパリングが嵌合され、
前記可動リングは、前記リング部と前記ストッパリングとの間の前記カップリングの外壁上に摺設されることを特徴とする請求項２に記載の消防用ホースとクイックカップリングとの間の接続装置。
【請求項４】
前記カップリングは雌コネクタであり、
前記受け金具は、消防用消火栓弁へ迅速に嵌着可能な差込孔を有することを特徴とする請求項１に記載の消防用ホースとクイックカップリングとの間の接続装置。
【考案の詳細な説明】
【技術分野】
【０００１】
本考案は、消防用ホースとクイックカップリングとの間の接続技術に関し、特に、消防用ホースとクイックカップリングとの間の接続装置に関する。
【背景技術】
【０００２】
従来、消防用の消火栓弁とノズルとは消防用ホースを介して連通され、消防用ホースを介して消火栓弁からノズルへ供給された水が外方へ放出され、消防用ホースは、消火栓弁及びノズルとの間がカップリングにより接続されている。
【０００３】
図１に示すように、従来のカップリング１０ａの両端には、帯座１１ａ及び受け金具１２ａがそれぞれ形成されている。消防用ホース２０ａは、帯座１１ａの外壁と嵌合する接続端２１ａを有し、リング３０ａが消防用ホース２０ａの接続端２１ａの外壁に嵌着され、これにより帯座１１ａに消防用ホース２０ａを外嵌させる。しかし、リング３０ａが帯座１１ａより短いため、帯座１１ａの端部１１１ａがリング３０ａの外側へ突出され、カップリング１０ａが移動する過程において、カップリング１０ａが不用意に落下して端部１１１ａが地面にぶつかったり、長期間使用したりした後に、端部１１１ａと地面との間に形成された消防用ホース２０ａが受けた衝撃により破損してしまうことがあった。
【０００４】
図２に示すように、上述した従来の問題点を改善するために、リング３０ａと消防用ホース２０ａとの間に保護スリーブ４０ａを配設することにより、消防用ホース２０ａの帯座１１ａの端部１１１ａが地面に衝突して破損することを防ぐ。しかし、このような方法は、外形の見た目が良くない上に保護スリーブ４０ａの部品コストが増えるという問題点があった。
【先行技術文献】
【特許文献】
【０００５】
【特許文献１】なし
【考案の概要】
【考案が解決しようとする課題】
【０００６】
本考案の目的は、消防用ホースのカップリングが地面にあたって破損してしまう問題点を解決する消防用ホースとクイックカップリングとの間の接続装置を提供することにある。
【課題を解決するための手段】
【０００７】
上記課題を解決するために、本考案の第１の形態によれば、カップリング、消防用ホース及びリングを備えた消防用ホースとクイックカップリングとの間の接続装置であって、  前記カップリングは、円管状を呈するとともに、両端に帯座及び受け金具をそれぞれ有し、前記帯座及び前記受け金具の内部には管道が形成されて互いに連通し、前記帯座は、前記管道の軸方向で延びた接続長さを有し、前記消防用ホースは、円管状の軟質帯体であり、前記帯座の外壁に嵌合される接続端を有し、前記リングは、前記消防用ホースの前記接続端の外壁を嵌持する、円管状の硬質リング体であり、前記リングは、前記管道の軸方向に延びる抱かれ長さを有し、前記抱かれ長さは、前記帯座の接続長さより長いことを特徴とする消防用ホースとクイックカップリングとの間の接続装置が提供される。
【０００８】
前記カップリングは、雄コネクタであり、前記受け金具の外壁には、突出したリング部が形成され、前記カップリングの外壁には、前記リング部に接触可能な可動リングが摺設されていることが好ましい。
【０００９】
前記カップリングの外壁には、ストッパリングが嵌合され、前記可動リングは、前記リング部と前記ストッパリングとの間の前記カップリングの外壁上に摺設されることが好ましい。
【００１０】
前記カップリングは雌コネクタであり、前記受け金具は、消防用消火栓弁へ迅速に嵌着可能な差込孔を有することが好ましい。
【図面の簡単な説明】
【００１１】
【図１】図１は、従来のカップリング（１）を示す断面図である。
【図２】図２は、従来のカップリング（２）を示す断面図である。
【図３】図３は、本考案の第１実施形態に係る消防用ホースとクイックカップリングとの間の接続装置を示す断面図である。
【図４】図４は、本考案の第２実施形態に係る消防用ホースとクイックカップリングとの間の接続装置を示す断面図である。
【考案を実施するための形態】
【００１２】
以下、本考案の実施形態について図に基づいて説明する。なお、これによって本考案が限定されるものではない。
【００１３】
図３を参照する。図３は、本考案の第１実施形態に係る消防用ホースとクイックカップリングとの間の接続装置を示す断面図である。図３に示すように、本考案の第１実施形態に係る消防用ホースとクイックカップリングとの間の接続装置は、少なくともカップリング１０ｂ、消防用ホース２０ｂ及びリング３０ｂから構成される。
【００１４】
カップリング１０ｂは、実際には挿入方式により消防用ホースを、他の消防用ホース、消火栓弁と接続するために用いるクイックカップリングである。このクイックカップリングは、雄コネクタ及び雌コネクタを含む。
【００１５】
カップリング１０ｂは、円管状の金属からなり、両端に帯座１１ｂ及び受け金具１２ｂをそれぞれ有する。帯座１１ｂ上には、間隔をあけて形成された多数の嵌合溝１１２ｂにより、帯座１１ｂに外嵌した消防用ホース２０ｂの安定性が高まる。帯座１１ｂ（即ち、雄コネクタ及び雌コネクタ）間は、受け金具１２ｂにより接続される。帯座１１ｂと受け金具１２ｂとの間は、カップリング１０ｂ内部に形成された管道１３ｂにより連通し、管道１３ｂを介してカップリング１０ｂ内部を水が通過する。
【００１６】
消防用ホース２０ｂは、円管状の軟質帯体である。実際には、消防用ホース２０ｂは、平織り又は繊維交絡したリンネル又は合成繊維布などの材料からなり、高強度、耐磨耗性、防火耐熱などの特性を有する。消防用ホース２０ｂは、径方向で圧縮されると扁平状となる帯状となるため、巻き取って筒状に形成して収納することができる。消防用ホース２０ｂは、接続端２１ｂを有し、消防用ホース２０ｂは、接続端２１ｂを介して帯座１１ｂの外壁へ嵌合されてカップリング１０ｂと接続される。
【００１７】
リング３０ｂは、円管状の硬質リング体である。実際には、リング３０ｂは、アルミニウムパイプ、亜鉛めっき鉄パイプ又はステンレス帯からなるとともに、油圧圧着方式により消防用ホース２０ｂの接続端２１ｂを帯座１１ｂ上に嵌合させ、消防用ホース２０ｂとカップリング１０ｂとを互いに堅牢に接続させる。
【００１８】
上述の帯座１１ｂ及びリング３０ｂは、管道１３ｂの軸方向へ延びた接続長さｈ１及び抱かれ長さｈ２をそれぞれ有する。接続長さｈ１とは、帯座１１ｂ上に消防用ホース２０ｂが嵌合されたときの接続端２１ｂと端部１１１ｂとの間の間隔距離を指す。抱かれ長さｈ２とは、消防用ホース２０ｂにリング３０ｂが嵌着される長さを指す。実際には抱かれ長さｈ２は、帯座１１ｂの接続長さｈ１より長い。この構造により、帯座１１ｂの端部１１１ｂがリング３０ｂ内に隠れるため、消防用ホース２０ｂの端部１１１ｂが地面とぶつかって損壊することを防ぐことができる。
【００１９】
続いて、図３に示すように、カップリング１０ｂは雄コネクタであり、雄コネクタの受け金具１２ｂの外壁には、突出したリング部１２１ｂ及びストッパリング１５ｂが形成されている。リング部１２１ｂとストッパリング１５ｂとの間のカップリング１０ｂの外壁上には、可動自在のリング部１２１ｂの可動リング１４ｂが摺設されている。この構成により、カップリング１０ｂ（即ち雄コネクタ）を雌コネクタに接続すると、雄コネクタのリング部１２１ｂを雌コネクタにより拘束し、両者を接続した状態に維持することができる。雌コネクタから雄コネクタを外す場合、可動リング１４ｂを押し動かして雌コネクタを雄コネクタのリング部１２１ｂからリリースし、両者の接続状態を解除する。
【００２０】
図４に示すように、実際にはカップリング１０ｂは雌コネクタである。雌コネクタの受け金具１２ｂは、差込孔１６ｂを有する。差込孔１６ｂ内には、多数のフック板１７ｂが弾力的に配置されている。フック板１７ｂには、ばね１８ｂが接続されている。この構成により、カップリング１０ｂは、受け金具１２ｂ上に形成された差込孔１６ｂを介して消防用の消火栓弁５０ｂへ迅速に嵌着させることができる。さらに、消火栓弁５０ｂは、カップリング１０ｃ（即ち、雄コネクタ）を有し、雄コネクタのリング部１２１ｃを雌コネクタの差込孔１６ｂ内へ挿入すると、フック板１７ｂにより拘束され、消火栓弁５０ｂと消防用ホース２０ｂとを接続し、消火栓弁５０ｂを介して水が消防用ホース２０ｂ内へ送り込まれる。
【００２１】
上述したことから分かるように、本考案の消防用ホースとクイックカップリングとの間の接続装置は、リングの抱かれ長さを増やして帯座の端部がリング内に隠されるため、消防用ホースの帯座の端部が地面とぶつかって損壊することを防ぎ、見た目全体を良好に維持するとともに消防用ホースの耐久性及び使用寿命を延ばすことができる。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１０ａ  カップリング
１０ｂ  カップリング
１０ｃ  カップリング
１１ａ  帯座
１１ｂ  帯座
１２ａ  受け金具
１２ｂ  受け金具
１３ａ  管道
１３ｂ  管道
１４ｂ  可動リング
１５ｂ  ストッパリング
１６ｂ  差込孔
１７ｂ  フック板
１８ｂ  ばね
２０ａ  消防用ホース
２０ｂ  消防用ホース
２１ａ  接続端
２１ｂ  接続端
３０ａ  リング
３０ｂ  リング
４０ａ  保護スリーブ
５０ｂ  消火栓弁
１１１ａ  端部
１１１ｂ  端部
１１２ｂ  嵌合溝
１２１ｂ  リング部
１２１ｃ  リング部
ｈ１  接続長さ
ｈ２  抱かれ長さ
【図１】
0003190937.tif 000003
【図２】
0003190937.tif 000004
【図３】
0003190937.tif 000005
【図４】
0003190937.tif 000006